(57)【要約】【課題】油潤滑と同等の潤滑性能を、外部への漏れ出しによる不具合を招来することなく実現し、高速運転されるミシンの可動部位、特に、針棒、ルーパ棒等の摺動部位の潤滑のために好便に用い得るミシン用潤滑剤を提供する。【解決手段】ミシンの可動部位に潤滑のために供給されるミシン用潤滑剤を、２５℃の温度下にて、２号〜０００号、好ましくは１号〜００号なる範囲のちょう度を有し、７０℃〜１５０℃、好ましくは、９０℃〜１１５℃なる範囲の融点を有するように組み合わされた複数種の合成エステルを主成分として構成する。【選択図】なし【特許請求の範囲】
【請求項１】
ミシンの可動部位に潤滑のために供給されるミシン用潤滑剤において、
２５℃の温度下にて、２号〜０００号、好ましくは１号〜００号なる範囲のちょう度を有し、７０℃〜１５０℃、好ましくは、９０℃〜１１５℃なる範囲の融点を有するように組み合わされた複数種の合成エステルを主成分とすることを特徴とするミシン用潤滑剤。    
【請求項２】
酸化防止剤、防錆剤、腐食防止剤及び増粘剤のうちの一又は複数を副成分として含む請求項１記載のミシン用潤滑剤。
【請求項３】
前記複数種の合成エステルは、夫々が生分解性を有する請求項１又は請求項２記載のミシン用潤滑剤。
【請求項４】
前記複数種の合成エステルに、６０重量％以下、好ましくは、２０〜４０重量％の油を混合してある請求項１乃至請求項３のいずれかに記載のミシン用潤滑剤。
【請求項５】
前記油は、ＶＧ７〜ＶＧ１００なるＩＳＯ粘度グレード番号、好ましくは、ＶＧ２２〜ＶＧ６８なるＩＳＯ粘度グレード番号にて規定される低粘度のミシン油である請求項４記載のミシン用潤滑剤。
【発明の詳細な説明】
【技術分野】
【０００１】
本発明は、ミシンの各部において夫々の動作をなす可動部位の潤滑に用いられるミシン用潤滑剤に関し、特に、針棒、ルーパ棒等、軸長方向に摺動する摺動部位の潤滑に好便に用い得るミシン用潤滑剤に関する。
【背景技術】
【０００２】
近年の工業用ミシンおいては、縫製作業の能率向上を図るべく運転速度の高速化が進められており、この高速化の実現のためにミシンの各部に存在する可動部位を良好に潤滑することが重要な課題となっている。ミシンの可動部位を潤滑するための潤滑剤としては、従来から、ミシン油又はグリースが広く使用されている（例えば、特許文献１参照）。
【０００３】
ミシン油を使用する潤滑は、対象となる可動部位を内部に備えるハウジングを液密に封止された油室として構成し、該油室の適宜部位に貯留されたミシン油を、ポンプによる循環、機械的な掻き上げ、油芯に含侵させての導油等の適宜の手段により所望の可動部位に導くようにした潤滑構造により実現される。
【０００４】
またグリースを使用する潤滑は、対象となる可動部位にグリースの封入部を付設し、該封入部に予め封入されたグリースが前記可動部位の相対移動する面間に徐々に供給されるようにした潤滑構造により実現される。前記封入部は、外部から適宜グリースの補給が可能となるように構成し、潤滑性能を長く保ち得るようにしている。
【特許文献１】特開２００４−１５５８６４号公報
【発明の開示】
【発明が解決しようとする課題】
【０００５】
さて、以上の如き潤滑がなされるミシンの可動部位としては、針棒、ルーパ棒等、軸長方向に摺動する摺動部位が存在する。ここで針棒は、ハウジングとしてのミシンアームの下面を内外に貫通して取付けられた支持体により中途部を支持し、針が取付けられる下端をミシンアームの下側に突出させて設けられている。また、オーバロックミシンの上ルーパを動作させるための上ルーパ棒は、ハウジングとしてのミシンベッドの前面に取付けられた支持体により中途部を支持し、上ルーパが取付けられる上端をミシンベッドの外部に突出させて設けられている。
【０００６】
このような針棒及びルーパ棒と夫々の支持体との摺動部位は、特に、高速運転されるミシンにおいて高温となるため、この摺動部位に対してミシン油を使用して前述した油潤滑を行った場合、高温下にて粘度低下したミシン油が摺動部位を経て外部に漏れ出して周辺に飛散し、縫製物の汚損、オペレータの作業環境の悪化等の不具合を招来する。
【０００７】
このような不具合は、グリースを使用した潤滑構造の採用により緩和される。しかしながら、潤滑油中に増ちょう剤を分散させて半固体又は固体状をなして構成されるグリースは、所定の温度（滴点）を超える温度下に曝された場合、油分が分離した離油状態となり、油分が分離したグリースは、その後の降温によっても元の状態に戻ることはなく、分離した油分の同一箇所へのグリースとしての機能が失われるという問題があることから、高速運転により前記滴点を超える高温となることが予想されるミシンの摺動部位の長期安定潤滑に適用することは難しい。
【０００８】
本発明は斯かる事情に鑑みてなされたものであり、油潤滑と同等の潤滑性能を、外部への漏れ出しによる不具合を招来することなく実現し、高速運転されるミシンの可動部位、特に、針棒、ルーパ棒等の摺動部位の潤滑のために好便に用い得るミシン用潤滑剤を提供することを目的とする。
【課題を解決するための手段】
【０００９】
本発明の第１発明に係るミシン用潤滑剤は、ミシンの可動部位に潤滑のために供給されるミシン用潤滑剤において、２５℃の温度下にて、２号〜０００号、好ましくは１号〜００号なる範囲のちょう度を有し、７０℃〜１５０℃、好ましくは、９０℃〜１１５℃なる範囲の融点を有するように組み合わされた複数種の合成エステルを主成分とすることを特徴とする。
【００１０】
また第２発明に係るミシン用潤滑剤は、酸化防止剤、防錆剤、腐食防止剤及び増粘剤のうちの一又は複数を副成分として含むことを特徴とする。
【００１１】
また第３発明に係るミシン用潤滑剤は、第１発明又は第２発明における複数種の合成エステルが、夫々が生分解性を有することを特徴とする。
【００１２】
また第４発明に係るミシン用潤滑剤は、第１〜第３発明のいずれかにおける複数種の合成エステルに、６０重量％以下、好ましくは、２０〜４０重量％の油を混合してあることを特徴とする。
【００１３】
更に第５発明に係るミシン用潤滑剤は、第４発明における油が、ＶＧ７〜ＶＧ１００なるＩＳＯ粘度グレード番号、好ましくは、ＶＧ２２〜ＶＧ６８なるＩＳＯ粘度グレード番号にて規定される低粘度のミシン油であることを特徴とする。
【発明の効果】
【００１４】
本発明の第１発明に係るミシン用潤滑剤においては、常温下にて半固体状をなし、運転中に想定されるミシンの内部温度下にて液化して潤滑作用をなす合成エステルを主成分とするから、可動部位を臨むハウジング内に常温下にて適宜に配することができ、運転時の温度下では液化して、ミシン油と同等の良好な潤滑作用を行わせることができる上、液化した潤滑剤は温度低下により半固体状に戻るから、外部に漏れ出した場合であっても周辺に飛散し、縫製物の汚損、作業環境の悪化等の不具合を生じる虞れがない。
【００１５】
また第２発明に係るミシン用潤滑剤においては、一又は複数の副成分を含ませてあるから、良好な潤滑と共に、酸化防止、防錆等、夫々の副成分による個別の機能を併せて実現することができる。また第３発明に係るミシン用潤滑剤においては、生分解性を有する合成エステルの組み合わせにより構成したから、外部に漏れ出した潤滑剤の一部が飛散した場合であっても生分解により消失し、縫製物の汚損、作業環境の悪化等の不具合の発生を確実に防止することができる。
【００１６】
更に第４発明に係るミシン用潤滑剤においては、合成エステルに適量の油を混合して用い、また第５発明に係るミシン用潤滑剤においては、適度な粘度を有するミシン油を混合してあるから、運転開始時に合成エステルが液化するまでの間の過渡的な潤滑性能をミシン油により補完させて、運転開始直後から良好な潤滑性能を得ることが可能となる等、本発明は優れた効果を奏する。
【発明を実施するための最良の形態】
【００１７】
以下本発明の実施の形態について詳述する。本発明においては、ミシンの可動部位を潤滑する潤滑剤として合成エステルを用いる。合成エステルは、酸にアルコール又はフェノールを作用させ、水を分離させて縮合生成される化合物の総称であり、酸の水素原子をアルキル基により置換し、酸基とアルキル基とが結合した構造を有する。
【００１８】
自然界に存在する「ろう」は、脂肪酸と高級１価アルコールとのエステルであり、合成エステルは、「ろう」と同様に、常温下では固体又は半固体状をなしており、個別の融点を超える温度条件下において液化し、良好な潤滑性能を発揮することができる。
【００１９】
本発明に係る潤滑剤は、複数種の合成エステルを適宜に組み合わせ、常温下、具体的には、２５℃の温度下にて、２号〜０００号、好ましくは１号〜００号なる範囲のちょう度を有するように、また７０℃〜１５０℃、好ましくは、９０℃〜１１５℃なる範囲の融点を有するようにした合成エステルを主成分とする。
【００２０】
ちょう度とは、ＪＩＳ−Ｋ２２２０「グリース」において規定されている硬さを示す単位である。２号〜０００号、好ましくは１号〜００号なるちょう度を有するように組み合わされた合成エステルは、常温下においては、半固体状、所謂ペースト状をなしており、例えば、フェルト、スポンジ等の保持体に保持させ、潤滑対象となる可動部位を内包するミシンのハウジングの内部に前記保持体と共に適宜に配することができる。
【００２１】
また、７０℃〜１５０℃、好ましくは、９０℃〜１１５℃なる範囲の融点を有するように組み合わされた合成エステルは、ミシンの運転中にハウジング内に発生する温度条件下において溶融液化し、液化した合成エステルは、フェルト、スポンジ等を用いてなる前記保持体の全域に浸透する。従って、前記保持体の一部を所望の可動部位に接触させておくことにより、該可動部位に合成エステルが供給されることとなり、良好な潤滑剤としての作用をなす。なお合成エステルの融点は、対象となる可動部位の周辺における運転時の想定温度に応じて、７０℃〜１５０℃、好ましくは、９０℃〜１１５℃なる範囲内において個別に設定することができる。
【００２２】
ここで合成エステルは、グリースとは異なり、融点を超える温度下にて液化した後、融点以下の温度低下に応じて元の状態に戻るという性質を有している。従って、運転中に液化して前述した潤滑作用をなす合成エステルは、運転停止後の降温により半固体状の形態に戻り、可動部に付着した状態、又は保持体に保持された状態を維持することとなり、再度の運転開始により液化し、全く同様の潤滑作用を繰り返すことができる。
【００２３】
また、針棒又はルーパ棒の摺動部位を潤滑する合成エステルは、ミシン油と同様に外部に漏れ出す虞れがあるが、漏れ出した液状の合成エステルは外気との接触により速やかに半固体状に形態変化し、針棒又はルーパ棒の表面に付着したまま残る。従って本発明に係る潤滑剤は、ミシンの運転中に周辺に飛散する虞れが少なく、縫製物の汚損、オペレータの作業環境の悪化等の不具合の発生を大幅に軽減することができる。
【００２４】
また本発明に係るミシン用潤滑剤は、夫々が生分解性を有する合成エステルを組み合わせ、前述したちょう度及び融点を有するように構成することができる。このようにすれば、漏れ出した合成エステルの一部が周辺に飛散したとしても、この飛散物は生分解により消失することとなり、縫製物に付着した潤滑剤が使用者に影響を及ぼす虞れはなく、また飛散物によるオペレータの作業環境の影響を軽微に抑えることができる。
【００２５】
本発明に係るミシン用潤滑剤は、以上の如く合成エステルに、酸化防止剤、防錆剤、腐食防止剤及び増粘剤のうちの一又は複数を副成分を含ませて構成することができる。副成分として酸化防止剤を含ませた場合、主成分としての合成エステルの酸化を防止し、長期に亘って所望の潤滑性能を維持することができる。また副成分として防錆剤を含ませた場合、可動部位を潤滑すると同時に、該可動部位の錆の発生を防止することができる。腐食防止剤又は増粘剤を副成分として含ませた場合にも、潤滑作用と共に夫々の副成分による作用を併せて実現することが可能となる。
【００２６】
合成エステルを主成分とする本発明に係る潤滑剤は、潤滑剤として広く使用されているミシン油と混合して用いることができる。このような混合により、ミシンの運転開始後、融点への到達により合成エステルが液化するまでの間の初期潤滑がミシン油によって補完されることとなり、運転開始直後から良好な潤滑性能を発揮させることができる。
【００２７】
ミシン油の混合量は、初期潤滑時の潤滑性能を確保するという観点からは多い方が望ましいが、混合量が多い場合、前述した摺動部位からの漏れ出しによる不具合を招来する。種々の運転試験の結果、ミシン油の混合量を６０重量％以下とすることにより、漏れ出しによる不具合の発生を抑えることができ、更には、ミシン油の混合量を、２０〜４０重量％の範囲内にて設定することにより、良好な初期潤滑性能と漏れ出しの防止とを併せて実現し得ることが確かめられている。
【００２８】
本発明に係るミシン用潤滑剤は、ミシン油の混合量が０％であるもの、即ち、主成分としての合成エステルのみ、又は前述した副成分を一又は複数含有する合成エステルによって構成されたものも含んでいる。この場合には、運転開始後に合成エステルの融点に達するまでの間の運転初期に実質的に無潤滑での運転期間が生じるから、例えば、対象となる可動部位の表面に対し、浸炭焼入れ、セラミックス層の形成、ダイヤモンドライクカーボン層の形成等の硬化処理を行い、初期摩耗及び焼付きの発生を防止するのが望ましい。
【００２９】
また混合されるミシン油は、ＪＩＳ−Ｋ２００１に規定されている工業用潤滑油の粘度を示すＩＳＯ粘度グレード番号において、ＶＧ７〜ＶＧ１００なる範囲、好ましくは、ＶＧ２２〜ＶＧ６８なる範囲にある低粘度のミシン油とすることにより、良好な初期潤滑性能を確保すると共に、漏れ出しの発生を有効に防止することが可能となる。